(57)【要約】【課題】ポイント数が増大傾向にある導通板上での不良ポイント箇所を迅速に特定し、導通検査を効率良く行う。【解決手段】ポイント番号が記録されている導通板図面情報を文書表示機能及び文字列検索機能を有するアプリケーションによってディスプレイに表示する。次に、導通不良ポイント番号を文字列として入力し、文字列検索機能を用いて、検索を行う。検索でヒットしたポイント番号を、ディスプレイの導通板図面上で表示色を変えて点滅表示する。導通板図面上で、点滅表示しているポイント番号から、導通板上のワイヤハーネスの不良ポイント位置を的確且つ迅速に知ることができる。【選択図】図４
2011237233.tif 000002
【特許請求の範囲】
【請求項１】
複数の電線と前記電線の端部に設けられる接続ピンを有するコネクタとを含むワイヤハーネスが載せられる台板、
前記ワイヤハーネス及び前記コネクタの配置位置情報と前記コネクタの前記各接続ピンを識別するためのポイント識別文字情報とからなる図面情報に基づいて前記台板の表面に記録されており、前記ワイヤハーネスの配置位置を示すハーネス配置表示線、前記コネクタの配置位置を示すコネクタ配置表示部、及び前記コネクタの各接続ピン個々に対応して付されているポイント識別文字を示すポイント識別文字表示部を有するワイヤハーネス表示部、
前記コネクタ配置表示部の近傍に配置され、前記コネクタが接続されて前記接続ピンと接触する受け接続ピンを有する受けコネクタ、
及び前記受けコネクタの前記受け接続ピンに個々に接続される接続線
を有する導通板と、
前記接続線によって前記各接続ピンに導通し、前記ワイヤハーネスに含まれるすべての電線について検査回路を構成し、各回路が閉じているか否かによって、各電線単位で導通状態が良好であるか否かを判定する判定器、
及び前記判定器による判定結果に基づき、上記接続ピン個々に付されたポイント識別文字を用いて導通不良の判定結果を表示する表示器
を有する導通検査装置とを有する導通検査システム用の導通不良箇所特定装置であって、
前記表示器に表示された前記導通不良の判定結果のポイント識別文字と検索指示とが入力される導通不良ポイントの入力部、
前記図面情報を記憶したメモリ部、
前記入力部から入力された導通不良のポイント識別文字及び検索指示に基づき前記メモリ部の前記図面情報から対応するポイント識別文字を検索する検索部、
及び前記図面情報に基づきワイヤハーネス表示部の一部または全部を表示しており、前記検索部の検索結果に基づき特定された前記ポイント識別符号を注意喚起表示する導通不良ポイント表示部
を有することを特徴とするワイヤハーネス導通検査システム用の導通不良箇所特定装置。
【請求項２】
前記ワイヤハーネス表示部には、前記ポイント識別文字表示部に隣接して前記コネクタを識別するためのコネクタ識別文字表示部が含まれていることを特徴とする請求項１記載のワイヤハーネス導通検査システム用の導通不良箇所特定装置。
【請求項３】
キャドソフトまたは図面情報表示ソフトがインストールされたパソコンを用い、前記キャドソフトまたは図面情報表示ソフトの文字列検索機能を用いて、前記ポイント識別文字を検索表示することを特徴とする請求項１または２記載のワイヤハーネス導通検査システム用の導通不良箇所特定装置。
【請求項４】
複数の電線と前記電線の端部に設けられる接続ピンを有するコネクタとを含むワイヤハーネスが載せられる台板、
前記ワイヤハーネス及び前記コネクタの配置位置情報と前記コネクタの前記各接続ピンを識別するためのポイント識別文字情報とからなる図面情報に基づいて前記台板の表面に記録されており、前記ワイヤハーネスの配置位置を示すハーネス配置表示線、前記コネクタの配置位置を示すコネクタ配置表示部、及び前記コネクタの各接続ピン個々に対応して付されているポイント識別文字を示すポイント識別文字表示部を有するワイヤハーネス表示部、
前記コネクタ配置表示部の近傍に配置され、前記コネクタが接続されて前記接続ピンと接触する受け接続ピンを有する受けコネクタ、
及び前記受けコネクタの前記受け接続ピンに個々に接続される接続線
を有する導通板と、
前記接続線によって前記各接続ピンに導通し、前記ワイヤハーネスに含まれるすべての電線について検査回路を構成し、各回路が閉じているか否かによって、各電線単位で導通状態が良好であるか否かを判定する判定器、
及び前記判定器による判定結果に基づき、上記接続ピン個々に付されたポイント識別文字を用いて導通不良の判定結果を表示する表示器
を有する導通検査装置と、
前記表示器に表示された前記導通不良の判定結果のポイント識別文字と検索指示とが入力される導通不良ポイントの入力部、
前記図面情報を記憶したメモリ部、
前記入力部から入力された導通不良のポイント識別文字及び検索指示に基づき前記メモリ部の前記図面情報から対応するポイント識別文字を検索する検索部、
及び前記図面情報に基づきワイヤハーネス表示部の一部または全部を表示しており、前記検索部の検索結果に基づき特定された前記ポイント識別符号を注意喚起表示する導通不良ポイント表示部
を有する検索装置と
を備えることを特徴とするワイヤハーネス導通検査システム。
【請求項５】
前記ワイヤハーネス表示部には、前記ポイント識別文字表示部に隣接して前記コネクタを識別するためのコネクタ識別文字表示部が含まれていることを特徴とする請求項４記載のワイヤハーネス導通検査システム。
【請求項６】
キャドソフトまたは図面情報表示ソフトがインストールされたパソコンを用い、前記キャドソフトまたは図面情報表示ソフトの文字列検索機能を用いて、前記ポイント識別文字を検索表示することを特徴とする請求項４または５記載のワイヤハーネス導通検査システム。
【発明の詳細な説明】
【技術分野】
【０００１】
本発明はワイヤハーネス導通検査システム及びこれに用いる導通不良箇所特定装置に関する。
【背景技術】
【０００２】
ワイヤハーネスは多数の電線を含んでおり、一般にその端部には、ワイヤハーネス相互間の接続や他の電装部品等と接続するためのコネクタが取り付けられている。コネクタは、各電線の端部に予め圧着された端子金具(接続ピン)と、これが挿入されるホルダとを備えており、雄型と雌型のものがある。これら雄型および雌型の一対のコネクタを互いに嵌め合わせることによって、相互接続すべき接続ピン同士が結合し、電気的接続が達成される。そして、ワイヤハーネスの各接続ピン（以下単にポイントと称することもある。）を識別するために、各接続ピンそれぞれには、通常は連続する数字を用いたポイント番号が割り振ってある。
【０００３】
ワイヤハーネスの製造の最終工程では導通検査が行われる。この導通検査では、上記接続ピンがホルダのそれぞれ対応する接続ピン挿入孔に正確に挿入されているかどうか、および各電線が途中で断線や短絡等を起こしていないかどうかを調べる。
【０００４】
このため、例えば特許文献１に示されるように、導通検査装置を用いてワイヤハーネスの導通検査が行われている。導通検査装置は、被検査対象のワイヤハーネスが載置される導通板と、検査装置本体とからなる。導通板は、台板と、この台板上に複数（通常、ワイヤハーネスに含まれるコネクタの数と同じ数）配置される受けコネクタと、この受けコネクタを検査装置本体の入力端子に接続するための導通板接続線、及び検査機接続線と、これら接続線同士を接続するための接続ターミナルとを有する。
【０００５】
検査装置本体は、ワイヤハーネスに含まれるすべての電線について検査回路を構成し、各回路が閉じているか否かによって、各電線単位で導通状態が良好であるか否かを判定する判定器と、上記ポイント番号を用いて判定結果を表示する表示器を備えている。
【０００６】
ワイヤハーネスに含まれる各電線は、その両端がいずれか一対のコネクタに接続されており、各コネクタは、当該ワイヤハーネスの接続端部（ターミナル）を構成している。そして、各コネクタを導通板の対応する各受けコネクタに接続する。
【０００７】
ワイヤハーネスのコネクタまたはコネクタに近接する電線には、各コネクタを識別するためのコネクタ識別文字が、タグや直接記録により付されている。このコネクタ識別文字と、導通板のワイヤハーネス表示部に記録されているコネクタ識別文字とを照合しコネクタ識別文字が同じもの同士を確認して接続が行われる。また、コネクタ同士の接続に代えて、コンタクトプローブを有し、このコンタクトプローブが移動することによりワイヤハーネスの各コネクタの接続ピンと接触させるようにした接続装置を用いてワイヤハーネスのコネクタに接続することも行われる(特許文献２参照)。このように対応するコネクタや接続装置が用いられることにより、各コネクタに含まれる各電線に一対一に対応して、接続ピンまたはコンタクトプローブが接触することにより、電線毎に電気的導通をとるための接点が形成される。
【０００８】
導通検査器は判定部を備えている。そして、電線毎に検査回路（電線の一端側に対応する検査電極，当該電線，当該電線の他端側に対応する検査電極および判定器を含む電気回路）が構成され、この検査回路が電気的に閉じているか否かによって、各電線単位で導通状態が良好であるか否かを判定する。導通検査器は表示部を備えており、判定器の判定結果に基づきポイント番号を用いて、各電線単位で導通状態が不良である箇所を表示する。そして、表示部が導通不良や短絡などの不良箇所を表示しなければ、すべての電線について導通状態が良好であり、合格と判定することができる。
【先行技術文献】
【特許文献】
【０００９】
【特許文献１】特開平５−２８８７９１号公報
【特許文献２】特開平１０−４８２８５号公報
【発明の概要】
【発明が解決しようとする課題】
【００１０】
ところで、例えば自動車用のワイヤハーネスの場合には、最近では２０００〜４０００ものポイントを有し、長さも４〜１５ｍに達するものが使われるようになってきている。この場合に、２０００〜４０００のポイントのうち、１箇所または数カ所に導通不良が発生した場合に、あまりにもポイントの数が多いため、該当するポイントを見つけることが困難になってきている。例えば、導通板上のコネクタも１００〜３００個程度と相当な数であり、どのコネクタに属しているどのポイントなのかを導通板上でオペレータが目視により探すことは時間がかかり、それゆえ検査時間も長くなってしまい、作業効率が低下するという問題がある。
【００１１】
本発明は、上記問題を解決しようとするものであり、導通不良のポイントとそのコネクタ位置とを導通板上で簡単に特定することができるようにしたワイヤハーネス導通検査システム及びこれに用いる導通不良箇所特定装置を提供することを目的とする。
【課題を解決するための手段】
【００１２】
上記目的を達成するために、本発明は、導通板と導通検査装置とを有する導通検査システム用の導通不良箇所特定装置であって、以下の特徴を有する。
前記導通板は、複数の電線と前記電線の端部に設けられる接続ピンを有するコネクタとを含むワイヤハーネスが載せられる台板、前記ワイヤハーネス及び前記コネクタの配置位置情報と前記コネクタの前記各接続ピンを識別するためのポイント識別文字情報とからなる図面情報に基づいて前記台板の表面に記録されており、前記ワイヤハーネスの配置位置を示すハーネス配置表示線、前記コネクタの配置位置を示すコネクタ配置表示部、及び前記コネクタの各接続ピン個々に対応して付されているポイント識別文字を示すポイント識別文字表示部を有するワイヤハーネス表示部、前記コネクタ配置表示部近傍に配置され、前記コネクタが接続されて前記接続ピンと接触する受け接続ピンを有する受けコネクタ、及び前記受けコネクタの前記受け接続ピンに個々に接続される接続線を有する。
また、前記導通検査装置は、前記接続線によって前記各接続ピンに導通し、前記ワイヤハーネスに含まれるすべての電線について検査回路を構成し、各回路が閉じているか否かによって、各電線単位で導通状態が良好であるか否かを判定する判定器、及び前記判定器による判定結果に基づき、上記接続ピン個々に付されたポイント識別文字を用いて導通不良の判定結果を表示する表示器を有する。
そして、前記導通不良箇所特定装置は、前記表示器に表示された前記導通不良の判定結果のポイント識別文字と検索指示とが入力される導通不良ポイントの入力部、前記図面情報を記憶したメモリ部、前記入力部から入力された導通不良のポイント識別文字及び検索指示に基づき前記メモリ部の前記図面情報から対応するポイント識別文字を検索する検索部、及び前記図面情報に基づきワイヤハーネス表示部の一部または全部を表示しており、前記検索部の検索結果に基づき特定された前記ポイント識別符号を注意喚起表示する導通不良ポイント表示部を有する。
【００１３】
また、本発明は、上記導通板と上記導通検査装置と検索装置とを有する導通検査システムであって、前記検索装置は、前記表示器に表示された前記導通不良の判定結果のポイント識別文字と検索指示とが入力される導通不良ポイントの入力部、前記図面情報を記憶したメモリ部、前記入力部から入力された導通不良のポイント識別文字及び検索指示に基づき前記メモリ部の前記図面情報から対応するポイント識別文字を検索する検索部、及び前記図面情報に基づきワイヤハーネス表示部の一部または全部を表示しており、前記検索部の検索結果に基づき特定された前記ポイント識別符号を注意喚起表示する導通不良ポイント表示部を有することを特徴とする。
【００１４】
また、本発明は、前記ワイヤハーネス表示部には、前記ポイント識別文字表示部に隣接して前記コネクタを識別するためのコネクタ識別文字表示部が含まれていることを特徴とする。さらに、本発明は、キャドソフトまたは図面情報表示ソフトがインストールされたパソコンを用い、前記キャドソフトまたは図面情報表示ソフトの文字列検索機能を用いて、前記ポイント識別文字を検索表示することを特徴とする。
【発明の効果】
【００１５】
本発明によれば、導通板上において、導通検査時の不良箇所を示すポイント番号の位置が迅速に特定される。したがって、従来のように目視にて対応するポイント番号を探す必要がなくなり、ワイヤハーネスの製造工程の短縮化、効率化が図れる。
【図面の簡単な説明】
【００１６】
【図１】本発明のワイヤハーネス導通検査システムを示す概略のブロック図である。
【図２】ポイントの数が少ない導通板の一例を示す平面図である。
【図３】導通板のコネクタ配置表示部の構成を示す平面図である。
【図４】ワイヤハーネス導通検査の処理手順を示すフローチャートである。
【図５】ポイントの数が多い自動車用ワイヤハーネスの導通板の一例を示す平面図である。
【図６】検索装置の検索表示画面の要部の一例を示す正面図である。
【図７】他のワイヤハーネス導通検査装置を示す概略のブロック図である。
【発明を実施するための形態】
【００１７】
図１に示すように、本発明のワイヤハーネス導通検査システム１０は、被検査対象であるワイヤハーネス１２が接続される導通板１４、導通検査装置１６、及び検索装置１８を備えている。
【００１８】
ワイヤハーネス１２は、多数の電線２０を束ね、各電線２０の両端部にコネクタ２２を取り付けて構成されている。そして、コネクタ２２を介して例えば自動車の各電気構成品や制御装置に接続されて使用される。例えば、自動車用のワイヤハーネス１２の場合には、最近のものでは、全長が４〜１５ｍ程度であり、コネクタ２２の総数が１００〜５００個である。コネクタ２２は、合成樹脂製のホルダ内に接続ピンが配置されて構成されている。各接続ピンには各電線２０の両端部が圧着や必要に応じてハンダ付けなどで接続されている。また、接続ピンの数（ポイント数）は２０００〜４０００程度であり、今後もポイント数は増加する傾向にある。
【００１９】
図１及び図２に示すように、導通板１４は、台板３０、導通板図面３２、受けコネクタ３４、導通板電線３６、及び導通板ターミナル３８から構成されている。台板３０は、被検査対象であるワイヤハーネス１２の長さやコネクタ２２の数に応じて、そのサイズが決定される。例えば９００×１８００ｍｍのサイズの板を１枚(図２参照)、または複数枚連結して（図５参照）構成されている。
【００２０】
台板３０の表面には、ワイヤハーネス表示部としての導通板図面３２が貼り付けられている。導通板図面３２には、ハーネス配置表示線４０、コネクタ配置表示部４２が記録されている。ハーネス配置表示線４０は、前記ワイヤハーネス１２の配置位置を示すもので、原寸大で記録されている。コネクタ配置表示部４２は、ハーネス配置表示線４０に沿って被検査対象であるワイヤハーネス１２がセットされたときに、各コネクタ２２に近接した位置に配置されている。
【００２１】
図２及び図３に示すように、コネクタ配置表示部４２には、コネクタの識別文字４４と、コネクタ正面図４６が表示されている。コネクタ識別文字４４は、ワイヤハーネス設計図面上のコネクタ識別文字である第１コネクタ識別文字４４ａと、連続した番号による導通板上での通し番号からなる第２コネクタ識別文字４４ｂとがある。
【００２２】
図３に示すように、コネクタ正面図４６では、ホルダ４８及び接続ピン５０が図示されている。ホルダ４８はコネクタの外形を表す枠線で記録されている。接続ピン５０は、例えば「○」の記号で記録されている。この「○」内には、ポイント識別文字表示部としてのポイント番号５２と、接続される電線の被覆色を示す電線被覆コード部５４と、各接続ピン５０の固有の識別文字５６とが記録されている。ポイント番号５２は、ポイントを識別するための識別文字であり、本実施形態では、連続した番号を用いている。なお、ポイント番号５２は、仕様変更などによるコネクタの増加などに対応するために、空き番号を連続させて途中に設けておくことが好ましい。
【００２３】
台板３０には、前記コネクタ配置表示部４２に対応して貫通孔５８が開けられており、この孔５８から導通板電線３６を介して受けコネクタ３４が取り付けられている。受けコネクタ３４は、接続ピン３４ａとホルダ３４ｂとから構成されている。受けコネクタ３４または受けコネクタ３４近くの導通板電線３６には、前記第１コネクタ識別文字が記録されたタグ（図示省略）が設けられている。
【００２４】
また、図２に示すように、台板３０には、導通板１４と導通検査装置１６とを接続するための導通板ターミナル３８が設けられている。この導通板ターミナル３８には、接続電線６０（図１参照）の一端が接続されており、他端は導通検査装置１６に接続されている。
【００２５】
導通検査装置１６は市販品であり、例えば本実施形態では、東京インターホーン株式会社製のワイヤハーネスチェッカー（型番ＷＦＡ−１００）を用いている。この導通検査装置１６は、ワイヤハーネス１２を構成する各電線２０の両端にそれぞれ接続されたコネクタ２２の各接続ピンについて、全接続ピン総当たり方式の全ビットパターンチェックにより、他の接続ピンとの導通の有無をチェックし、ワイヤハーネスの良否を判定するものである。なお、導通検査装置１６は上記以外であっても使用可能であり、任意に選択使用することができる。
【００２６】
導通検査装置１６は、ドライブピンレジスタ６２、ドライブピンデコーダ６４、コンパレータ群６６からなる入出力切換回路６８と、この入出力切換回路６８を制御する制御部７０とを備えている。前記導通板１４の接続電線６０は、導通検査装置１６の入出力切換回路６８に接続されている。
【００２７】
入出力切換回路６８は、制御部７０が順次出力するデータによってコネクタ２２の接続ピンの１つを選択してドライブすると共に、このドライブピン以外の接続ピンについてその電位が基準電位より大きいか小さいかを順番に判別する。制御部７０は、入出力切換回路６８による判別結果を順次取り込む。この制御部７０は、予め定めた制御プログラムに従って動作するマイクロコンピュータから構成されており、ＣＰＵ７２，ＲＯＭ７４，ＲＡＭ７６、外部メモリ７７、キーボード７８、表示器８０を備えている。
【００２８】
ドライブピンレジスタ６２は、ＣＰＵ７２から順次出力されるデータを一時保持する。ドライブピンデコーダ６４は、ドライブピンレジスタ６２に保持されたデータをデコードして被検査対象のワイヤハーネス１２の接続ピンの１つを選択してドライブする。コンパレータ群６６は、図示しないドライバを有するドライブピン以外の接続ピンについてその電位を基準電位と順次比較し、その結果によりＨ又はＬレベルの信号を出力する。上記ドライブピンデコーダ６４によるドライブによって、図示しないプルアップ抵抗を介して高電位にプルアップされているコネクタ２２の各接続ピンの選択した１つが低電位にされる。
【００２９】
ＲＯＭ７４にはＣＰＵ７２の動作を管理するための制御プログラムが格納されている。キーボード７８は、テンキーや各種のファンクションキーなどを有し、バス７３を介して制御指令やデータなどが入力される。外部メモリ７７は例えばフロッピディスク、ＩＣメモリカードなどが利用される。この外部メモリ７７には、各種の被検査用のワイヤハーネスの正規の接続状態を示す正規接続データが格納されている。ＲＡＭ７６は例えば補助メモリとして利用され、検査対象である被検査用ワイヤハーネスに関する正規接続データを外部メモリ７７から読み出して一時的に記憶する。表示器８０は、検査の結果、例えば良品及び不良品の別、不良の原因（ショート、オープン）などを表示する。
【００３０】
検索装置１８は、本実施形態では、ＣＡＤ（キャド）ソフト８２がインストールされているパソコンから構成されており、パソコン本体８３、ディスプレイ８４、キーボード８５、マウス８６などを有する。ＣＡＤソフト８２を起動した状態で、ディスプレイ８４には導通板図面３２が表示されている。そして、ＣＡＤソフト８２の文字列検索機能８７を用いることにより、導通板１４上において、故障箇所を示すポイント番号を簡単に見つけることができる。
【００３１】
次に、図４のフローチャートを参照して本実施形態の作用について説明する。先ず、導通板１４に被検査対象のワイヤハーネス１２をセットする前に、導通板１４と導通検査装置１６とを接続電線６０で接続しておく。そして、導通検査装置１６の電源をオンにして、導通検査状態にしておく。この状態で、導通板１４上に被検査対象のワイヤハーネス１２を載せる。このとき、ワイヤハーネス表示部としての導通板図面３２のハーネス配置表示線４０に沿って被検査ワイヤハーネス１２を配置することで、ワイヤハーネス１２の長さや分岐位置が図面通りに製造されているかを目視にてチェックすることができる。
【００３２】
ワイヤハーネス１２をハーネス配置表示線４０に沿って配置していくことで、各コネクタ２２を対応する受けコネクタ３４に簡単に接続することができる。このとき、コネクタ２２に付されているタグのコネクタ識別文字と、導通板図面３２に表示されているコネクタ識別文字４４ａや、必要に応じて受けコネクタ３４に付されているタグのコネクタ識別文字とを照合することにより、同一識別文字の両者を確実に接続することができる。
【００３３】
被検査ワイヤハーネス１２のコネクタ２２と、導通板１４の受けコネクタ３４とを接続していくことにより、順次導通検査が行われていき、オープン表示となっていたポイントが接続によりクローズとなって、その表示数が消えていく。そして、被検査ワイヤハーネス１２のコネクタ２２と導通板１４の受けコネクタ３４とが全て接続されることにより、正常品であれば、全てのエラー表示が消えるため、合格品であることが判る。また、全て接続が完了した状態で、オープンのポイント番号やクローズのポイント番号が表示されている場合には、これらのポイントにおいて、導通不良や短絡が発生していることになる。
【００３４】
導通検査装置１６では、例えば次のようにして導通検査を行う。先ず、検査の開始によって、ドライブピンデコーダ６４が先ずポイント番号０１の接続ピンを選択して低電位にドライブすると、この接続ピンと相互接続されている例えばポイント番号０７の接続ピンが低電位になり、それ以外の接続ピンは高電位に保持されている。このような各接続ピンの電位変化は各接続ピンの電位を基準電位と比較するコンパレータ群６６の出力レベルの変化として現れ、ポイント番号０１，０７の接続ピンに対応するコンパレータ群６６の出力はＬレベルで、それ以外はＨレベルのままである。そこで、ドライブピン以外の各接続ピンに対応するコンパレータ群６６の出力を制御部７０が順番に取り込むことにより、ドライブピンに対する他の接続ピンの接続状態を示す接続データが「０」又は「１」の形で得られる。
【００３５】
次に、ドライブピンデコーダ６４が次の接続ピン、例えばポイント番号０２の接続ピンを選択してドライブすると、この接続ピンと相互接続されている接続ピン（例えばポイント番号０８の接続ピン）が低電位になり、それ以外の接続ピンは高電位に保持され、ポイント番号０２，０８の接続ピンに対応するコンパレータ群６６の出力はＬレベルで、それ以外はＨレベルのままである。そこで、ドライブピン以外の接続ピンに対応するコンパレータ群６６の出力を制御部７０が順番に取り込むことにより、ドライブピンに対する他の接続ピンの接続状態を示す接続データが得られる。
【００３６】
以下、ドライブピンデコーダ６４が残りの接続ピンを順番に選択してドライブし、上述したと同様に、制御部７０がドライブピン以外の接続ピンに対応するコンパレータ群６６の出力を順番に取り込むことにより、ドライブピンに対する他の接続ピンの接続状態を示す接続データが順番に得られる。
【００３７】
このようにして得られた接続データは、ＲＡＭ７６に格納された正規接続データと比較され、両者が一致すれば接続に誤りがないとして良品と判断し、その旨を表示器８０に表示し、一致しないときには不良品である旨の表示を行う。不良品のときには、その不一致の原因も表示する。具体的には、「０」であるべきところが「１」であったか又はその逆であったかによって、オープンであったか、ショートであったかを判断してその旨を表示器８０に表示する。
【００３８】
この導通不良箇所がある場合には、対応するポイント番号のコネクタを探し出し、接続ピンと電線２０との接続が確実に行われているか、接続ピンがコネクタの正しい位置に取り付けられているかなどをオペレータはチェックする。しかし、図５に示すように、実際の導通板１５は、ポイント数が２０００〜４０００ポイントと多いため、各ポイントが導通板１５上のどこに位置しているかを記憶しておくことは困難であり、導通板１５上で対応するポイント番号を探すことになる。したがって、今までは、導通板１５のポイント番号をいちいち探す必要があり、探す時間により検査時間の超過を招き、検査コストが上昇するという問題があった。しかも、小さな文字のポイント番号をいちいちチェックして見つける必要があり、オペレータにとっては過酷な労働となる他に眼精疲労などを招き、作業効率が低下するという問題もあった。
【００３９】
本実施形態では、検索装置１８を用いて、ＣＡＤソフト８２の検索機能にて、不良ポイント番号を文字列検索する。具体的には、キーボード８５やマウス８６を用いて不良ポイント番号を入力した後に、検索指示指令を入力する。
【００４０】
図６は、検索装置１８のディスプレイ８４に表示される検索画面８１の一例を示している。検索画面８１には、導通板図面３２の全領域が表示される全領域表示部８１ａと、拡大表示部８１ｂとが表示される。拡大表示部８１ｂには、検索装置１８で文字列検索したときにヒットした検索文字列が含まれる一つのコネクタ配置表示部４２が拡大表示される。検索画面８１では、導通板図面３２上で検索結果である該当するポイント番号が例えば文字色を変えて点滅表示されて、注意が喚起される。この注意喚起表示部８９によって、検索でヒットしたポイント番号を見つけることが容易に可能になり、不良箇所のポイント番号の図面上の位置を簡単に知ることができる。
【００４１】
特に、本実施形態では、全領域表示部８１ａと拡大表示部８１ｂの二つの画面が表示されるので、不良箇所のポイント番号を見つけることが容易である。また、全領域表示部８１ａでは円状の枠８８ａで不良ポイント番号を含むコネクタ配置表示部４２を囲んで、これを矢印でもって拡大表示部８１ｂに移動案内する軌跡８８ｂを示しているので、不良箇所のポイント番号を見つけることが容易となる。
【００４２】
例えば、不良箇所のポイント番号が「８，１４」である場合に、文字列検索機能で、文字列「０８」を入力し、導通板図面の全エリアを対象にして、文字列「０８」の検索を行う。同様にして、文字列検索機能で、文字列「１４」を検索する。図６は、文字列「１４」を検索したときの検索結果を示している。検索結果により、「１４」のポイント文字が通常の表示色と異なる色、例えば赤色で、且つ点滅表示される。オペレータはこの注意喚起表示部８９を全領域表示部８１ａ中で見つけることで、検索対象ポイント番号の導通板図面３２上での位置を簡単に知ることができる。
【００４３】
また、拡大表示部８１ｂに、検索によりヒットしたコネクタ配置表示部４２が拡大表示される。この拡大表示によって、例えば２０００〜４０００ポイントとポイント数が多い導通板の場合でも、検索したポイント番号のコネクタ内での位置及びコネクタ番号等を簡単に且つ迅速に知ることができる。
【００４４】
説明及び図面を簡単にする意味で、図２に示すようなポイント数が１６のワイヤハーネスを対象とした導通板図面３２を例に取って説明しているが、実際には、図５に示すように、ポイント数が２０００〜４０００の導通板１５を用いているので、この中から対象のポイント番号を探し出すことは難しい。本実施形態では、検索装置１８を用いることにより、不良箇所を示すポイント番号の位置を簡単に探し出すことができる。しかも、検索でヒットしたポイント番号の接続ピンが含まれるコネクタ全体が拡大表示部８１ｂに拡大して表示されるので、何番のコネクタで、どの位置の接続ピンが不良なのかを瞬時に判断することができる。
【００４５】
なお、ポイント総数が１０００未満の場合には、ポイント番号は３桁表示でよいが、１０００以上の場合には４桁表示として、９９９９個のポイントを識別することができる。ポイント番号が４桁表示の場合には、３桁以下の数字のときに頭に「０」を加えて、全ての数字において４桁表示「０００１」〜「９９９９」としておくことで、一つのポイント番号のみを確実に検索することができる。
【００４６】
また、導通板図面上のポイント番号以外の文字列も検索してヒットさせてしまうことがないように、ポイント番号は、他の寸法記入レイヤ（画層）や、ターミナル識別文字表示部の記入レイヤとは別のレイヤに記入しておき、ポイント番号の検索のときは、ポイント番号記入レイヤのみを検索対象エリアとして文字列検索を行うことが、好ましい。
【００４７】
上記特定されたポイント番号を有するターミナルが特定されると、不良箇所の修正が必要に応じて行われる。そして、不良箇所の修正後に、再度導通検査が行われる。そして、導通不良が修理により解消されると、合格ブザーが鳴る。合格ブザーが鳴ったときには、被検査対象のワイヤハーネスに合格印を付与する。また、検索装置１８では、合格データを記憶する。合格データとしては、例えは、検索記録、製造番号、合格記録、検査年月日などがある。検索記録を記憶しておくことにより、不良箇所の存在履歴や修正履歴を後に知ることができる。また、これらをデータベース化して不良箇所発生頻度をコネクタ毎に表示することで、不良箇所の発生頻度が高いところを特定することができる。そして、不良箇所の発生頻度が高いところを製造工程にフィードバックすることにより、不良箇所の減少を図ることができる。
【００４８】
上記実施形態では、パソコンによる検索装置１８を導通検査装置１６とは別体として設けて、導通検査システム１０を構成しているが、図７に示す他の実施形態のように、検索装置１８は、導通検査装置９０に組み込んでおいてもよい。なお、上記実施形態と同一構成部材には同一符号を付して、重複する説明を省略している。本実施形態の場合には、従来の導通検査装置のように、クローズとオープンのポイント番号のみを不良導通結果として表示する代わりに、不良ポイント番号の検索結果を導通板図面上に表示して、そのポイント番号の表示色を変えて且つ点滅表示させてもよい。この場合には、オペレータがその都度、不良ポイント番号を入力して検索指示を行う必要がなく、さらに効率の良い導通検査を行うことができる。なお、検索結果のみを注意喚起表示する代わりに、不良導通結果とともに、検索結果を表示してもよい。
【００４９】
また、図１に示す導通検査装置１６のバス７３に、二点鎖線で表示するように、Ｉ／Ｏ９２を介して、検索装置１８を接続しておき、導通不良があったときに、この導通不良ポイント番号を検索装置１８に自動的に送るようにしてもよい。これにより、図４に示すステップ９４の不良ポイント番号の入力処理と、検索指示処理とが不要になり、オペレータの負荷が軽減される。検索装置１８では、自動検索待機モードに設定しておき、導通検査装置１６から導通不良ポイント番号が出力されたときに、このポイント番号に基づき導通不良箇所のポイントを注意喚起表示部８９によって注意喚起表示する。注意喚起表示部８９は、導通板図面上での不良ポイント番号の検索結果を点滅表示したり、表示色を変更表示したり、あるいは点滅且つ表示色変更したりして、注意喚起する。この実施形態では、Ｉ／Ｏ９２及び自動検索待機モードによって、導通不良ポイントの自動入力部が構成される。
【００５０】
上記実施形態では、検索装置や検索機能は、ＣＡＤソフト８２の文字列検索機構８７を用いているが、ディスプレイ上に導通板図面が表示可能で、且つ文字列検索機能を有するワープロソフトや、ＰＤＦ表示ソフトなどの他のアプリケーションを用いて、検索装置を構成してもよい。
【００５１】
上記実施形態では、コネクタ識別文字も導通板図面に表示しているが、これはポイント番号のみを記載しておいて、ポイント番号のみから不良箇所を特定してもよい。しかし、上記実施形態のように、第２コネクタ識別文字として、連続番号を例えば時計方向に順に各コネクタに番号付けしていくことで、不良ポイント番号の検索表示に基づき、この不良ポイント番号を含むコネクタ番号も知ることができ、導通板上での不良ポイント位置を含むコネクタを迅速に特定することができる。
【符号の説明】
【００５２】
１０  ワイヤハーネス導通検査システム
１２  ワイヤハーネス
１４，１５  導通板
１６  導通検査装置
１８  検索装置
２０  電線
２２  コネクタ
３０  台板
３２  導通板図面
３４  受けコネクタ
３６  導通板電線
３８  導通板ターミナル
４０  ハーネス配置表示線
４２  コネクタ配置表示部
４４  コネクタ識別文字
５８  ホルダ
【図１】
2011237233.tif 000003
【図２】
2011237233.tif 000004
【図３】
2011237233.tif 000005
【図４】
2011237233.tif 000006
【図５】
2011237233.tif 000007
【図６】
2011237233.tif 000008
【図７】
2011237233.tif 000009